(57)【要約】【課題】  調光すると共に好みの光源色に変化させることができる蛍光ランプを提供する。【解決手段】  上記問題を解決する為,同一平面内に２本以上の同心円状の放電路を持ち,これらの環形形状放電管の放電空間を連結する為にブリッジが設けられている。上記の外管の放電管の直径を５ｍｍから２５ｍｍの範囲に対し,内管の直径を外管の０．５〜１．０倍の管径を有する放電管にすると共に,内壁に塗布する蛍光体は外管と内管で異なる色温度になるように配合した希土類蛍光体を用いると共に,前記ブリッジ側の第１及び第２の環形形状放電管端部のどちらかにもう一つの電極あるいは両端部に電極を具備することで,調光及び好みの光源色に変更できるようにしたもの。【選択図】  図２
2005122908.tif 000002
【特許請求の範囲】
【請求項１】
その環の直径が異なる第１及び第２の環形形状放電管が同一平面上に同心円状に位置し,前記第１及び第２の電極間で放電が生じるように前記第１及び第２の環形形状放電管の放電空間を連結する為にブリッジが設けられ,第１及び第２の環形形状放電管の前記第１及び第２の電極が形成されている側とは反対側の端部から離れた位置にブリッジが位置し,前記ブリッジ側の第１及び第２の環形形状放電管端部のどちらかにもう一つの電極あるいは両端部に電極を具備していることを特徴とする蛍光ランプ。
【請求項２】
前記環形形状放電管の内管の内表面積が,外管の内表面積比の０．５〜０．７倍であることを特徴とする蛍光ランプ。
【請求項３】
前記環形形状放電管の内管のガラス管は,外管のガラス管より管径が０．５〜１．０倍の管径を有することを特徴とする蛍光ランプ。
【請求項４】
前記第１及び第２の環形形状放電管の内面には,異なる色温度の希土類蛍光膜が設けられていることを特徴とする蛍光ランプ。
【請求項５】
前記第１及び第２の環形形状放電管において,放電を行う電極を変えることで,発光面積及び放電距離及び蛍光ランプの光源色を変化させることを特徴とする蛍光ランプ。
【請求項６】
前記第１及び第２の環形形状放電管の３つあるいは４つの電極に電力を供給する為の口金のピンが,３対あるいは４対有することを特徴とする蛍光ランプ。
【発明の詳細な説明】
【技術分野】
【０００１】
本発明は,一般照明用蛍光ランプに関するもので,特に居間やダイニングルームなどに好適な高出力,小形,かつ薄形の吊り下げ器具を実現するのに適した蛍光ランプを提供するものである。
【背景技術】
【０００２】
従来の同一平面上に２本以上の同心円状に放電路を持つ蛍光ランプとしては,電極間で放電が生じるように前記第１及び第２の環形形状放電管の放電空間を連結する為にブリッジが設けられ、前記ブリッジの反対の第１及び第２の環形形状放電管端部に電極が設けられている蛍光ランプが開発され用いられている。
【０００３】
【特許文献１】特開平１０-１１６５８６号公報
【発明の開示】
【発明が解決しようとする課題】
【０００４】
従来の直径が異なる第１及び第２の環形形状放電管が同一平面上に同心円状に位置し,前記第１及び第２の電極間で放電が生じるような蛍光ランプでは,前記第１及び第２の電極間のランプ電流を昇降させ調光を行っていたが,好みの光源色に変化させることはできなかった。
【０００５】
本発明は,従来不可能であった調光と同時に光源色を変化させること実現することを目的としている。
【課題を解決するための手段】
【０００６】
上記目的を達成する為に,同一平面内に２本以上の同心円状の放電路を持つ蛍光放電管を用い,上記の外管の放電管の直径を５ｍｍから２５ｍｍの範囲にし,内管の直径を外管の０．５〜１．０倍の管径を有する放電管にすると共に,内壁に塗布する蛍光体は外管と内管で異なる色温度になるように配合した希土類蛍光体を用いると共に,前記第１及び第２の電極間で放電が生じるように前記第１及び第２の環形形状放電管の放電空間を連結する為にブリッジが設けられている。前記ブリッジは,第１及び第２の環形形状放電管の前記第１及び第２の電極が形成されている側とは反対側の端部から離れた部分に位置し,前記ブリッジ側の第１及び第２の環形形状放電管端部のどちらかにもう一つの電極あるいは両端部に電極を具備することで,調光及び好みの光源色に変更できる。
【発明の効果】
【０００７】
本発明によれば,放電させる電極を選択し放電させると共に,ランプ電流を昇降することで,好みの光源色に変更できる蛍光ランプ電流を提供する。
【発明を実施するための最良の形態】
【０００８】
本発明に係る１００W形の２重環形蛍光ランプの実施例を図１,図２に挙げて添付図面を参照しながら以下詳細に説明する。
【実施例１】
【０００９】
図1を参照すると,本発明の一実施の形態による２重環形蛍光ランプ１が示されている。環形形状放電管内管２外管３の一端には,それぞれ電極４，５が設けられており,放電管の他端６，７はブリッジ８によって接合されていると共に他端７にも電極９が具備されている。また放電管２の内壁には色温度約３０００K,放電管３には色温度約６７００Kの蛍光体を塗布している。これにより放電路が電極４-放電管２-ブリッジ８-放電管３-電極５の場合はランプ全体での光源色は色温度約６７００Kと色温度約３０００Kを混色したものとなり,放電路が電極４-放電管２-電極９の場合は色温度約３０００Kとなり,放電路が電極５-放電管３-電極９の場合は色温度約６７００Kの明りを得ることができる。また,電極４，５，９間でのランプ電流を昇降させることで調光すると共に好みの光源色に変化させることができる。
【実施例２】
【００１０】
図２を参照すると,本発明の一実施の形態による２重環形蛍光ランプ１０が示されている。実施例１と同様に,２個の環形形状放電管１１，１２の一端には,それぞれ電極１３，１４が設けられており,放電管の他端１５，１６はブリッジ８によって接合されていると共に他端１５にも電極９が具備されている。また放電管１１の管径は内壁には色温度約３０００K,放電管１２には色温度約６７００Kの蛍光体を塗布している。この放電管は図３のように,放電管１１は放電管１２の管径20φに対して１５．５φとしたものである。放電路が電極１４-放電管１2-電極９の場合は色温度約６７００Kの光源色が得られ,放電路が電極１３-放電管１１-ブリッジ８-電極９の場合は色温度約３０００Kの光源色が得られ,放電路が電極１３-放電管１１-ブリッジ１７-放電管１２-電極１４の場合に,ランプ全体で色温度約５０００Kを得ることができる。
【図面の簡単な説明】
【００１１】
【図１】図１は,本発明の実施例１の概略図である。
【図２】図２は,本発明の実施例２の概略図である。
【図３】図３は,上記実施例２の一部の拡大図である。
【符号の説明】
【００１２】
１  実施例１の２重環形蛍光ランプ
２  環形形状放電管の内管
３  環形形状放電管の外管
４  実施例１の内管電極
５  実施例１の外管電極
６  実施例１の放電管内管の他端
７  実施例１の放電管外管の他端
８  ブリッジ
９  実施例１外管多端電極
１０  実施例２の２重環形蛍光ランプ
１１  １５．５φのガラス管
１２  ２０．０φのガラス管
１３  実施例２の内管電極
１４  実施例２の外管電極
１５  実施例２放電管内管の他端
１６  実施例２放電管外管の他端
１７  ピンが３対ある口金。
【図１】
2005122908.tif 000003
【図２】
2005122908.tif 000004
【図３】
2005122908.tif 000005